(57)【特許請求の範囲】
【請求項１】
ネットワークシステムに含まれるとともに、回線が接続されていない時に回線を自動的に接続する自動発呼手段及び端末間の通信が一定時間ない時に回線を自動的に切断する自動切断手段を有し、かつ公衆回線を介して通信を行う端末間のデータの中継を行う中継装置において、
複数からなる同一ネットワークアドレス宛のルート情報として宛先ネットワークのアドレス情報と、中継先中継装置のアドレス情報と、宛先まで到達するのに介する中継装置の数と、スタティック登録であるかダイナミック登録であるかを示す登録要因識別子とを含むエントリを登録するルーティングテーブルと、
第１の回線を介した第１の中継ルートに障害が生じた場合、上記ルート情報を参照することにより中継ルートを自動的に障害が生じていない第２の回線を介した第２の中継ルートに変更するルート変更手段とを有し、
該ルーティングテーブルは、受信したルーティング情報のうち、前記登録要因識別子がスタティック登録で、かつ受信したルーティング情報に設定された計量に１足した値が、スタティック登録された計量よりも小さい場合、エントリを登録することを特徴とする中継装置。
【請求項２】
ネットワークシステムに含まれるとともに、回線が接続されていない時に回線を自動的に接続する自動発呼手段及び端末間の通信が一定時間ない時に回線を自動的に切断する自動切断手段を有し、かつ公衆回線を介して通信を行う端末間のデータの中継を行う中継装置において、
複数からなる同一ネットワークアドレス宛のルート情報として宛先ネットワークのアドレス情報と、中継先中継装置のアドレス情報と、宛先まで到達するのに介する中継装置の数と、スタティック登録であるかダイナミック登録であるかを示す登録要因識別子とを含むエントリを登録するルーティングテーブルと、
第１の回線を介した第１の中継ルートに障害が生じた場合、上記ルート情報を参照することにより中継ルートを自動的に障害が生じていない第２の回線を介した第２の中継ルートに変更するルート変更手段とを有し、
該ルーティングテーブルは、受信したルーティング情報のうち、前記登録要因識別子がスタティック登録で、かつ受信したルーティング情報に設定された計量に１足した値が、スタティック登録された計量よりも大きいか、または等しい場合、エントリを登録しないことを特徴とする中継装置。
【請求項３】
前記ルーティングテーブルは、宛先ネットワークアドレス情報のエントリをスタティック登録する場合、ダイナミック登録された同一宛先ネットワークアドレス情報のエントリが存在していても同一宛先ネットワークアドレス情報のエントリをスタティック登録することを特徴とする請求項１、２のいずれかに記載の中継装置。
【請求項４】
前記ルーティングテーブルに登録されているエントリのうち任意のエントリを削除するエントリ削除手段を有することを特徴とする請求項１〜３のいずれかに記載の中継装置。
【請求項５】
前記ルーティングテーブルに同一宛先ネットワークアドレス情報のエントリが複数存在する場合、計量の少ないルートを中継ルートとして使用することを特徴とする請求項１〜４のいずれかに記載の中継装置。
【請求項６】
前記ルーティングテーブルに登録されている全エントリの内容を接続されたローカルコンソールに表示する表示手段を有することを特徴とする請求項１〜５のいずれかに記載の中継装置。
【請求項７】
前記ルーティングテーブルに登録されている全エントリの内容を前記ネットワークシステムに含まれる管理装置に表示する表示手段を有することを特徴とする請求項１〜６のいずれかに記載の中継装置。
【請求項８】
前記ルーティングテーブルに登録されているエントリのうち、同一ネットワークアドレス宛のルート情報が複数存在する場合、現状中継ルートとして使用しているエントリを接続されたローカルコンソールに表示する表示手段を有することを特徴とする請求項１〜７のいずれかに記載の中継装置。
【請求項９】
前記ルーティングテーブルに登録されているエントリのうち、同一ネットワークアドレス宛のルート情報が複数存在する場合、現状中継ルートとして使用しているエントリを前記ネットワークシステムに含まれる管理装置に表示する表示手段とを有することを特徴とする請求項７、８のいずれかに記載の中継装置。
【請求項１０】
エントリの有効性を監視するタイムアウトタイマと、該タイムアウトタイマがタイムアウトしエントリを無効にして前記ルーティングテーブルから削除するまでの時間を監視するガーベッジコレクションタイマとの各タイマ値をポート毎の情報として登録するポート情報テーブルを有することを特徴とする請求項６〜９のいずれかに記載の中継装置。
【請求項１１】
前記ポート情報テーブルに登録したタイムアウトタイマとガーベッジコレクションタイマの各タイマ値を接続されたローカルコンソールに表示する表示手段と、表示したタイムアウトタイマとガーベッジコレクションタイマの各タイマ値を変更する変更手段とを有することを特徴とする請求項１０に記載の中継装置。
【請求項１２】
前記ポート情報テーブルに登録したタイムアウトタイマとガーベッジコレクションタイマの各タイマ値を前記管理装置に表示する表示手段と表示したタイムアウトタイマとガーベッジコレクションタイマの各タイマ値を変更する変更手段とを有することを特徴とする請求項１０、１１のいずれかに記載の中継装置。
【請求項１３】
前記管理装置のアドレスを登録する管理装置アドレステーブルを有することを特徴とする請求項７〜１２のいずれかに記載の中継装置。
【請求項１４】
中継ルートに変更があった場合、前記ローカルコンソールに変更前後の中継ルート情報を含めてアラームを通知するアラーム通知手段を有することを特徴とする請求項６〜１３のいずれかに記載の中継装置。
【請求項１５】
中継ルートに変更があった場合、前記管理装置に変更前後の中継ルート情報を含めてアラームを通知するアラーム通知手段を有することを特徴とする請求項７〜１４のいずれかに記載の中継装置。
【発明の詳細な説明】
【０００１】
【発明の属する技術分野】
本発明は、中継装置に係り、詳しくは、回線接続された端末間でデータの送受信を行なう場合に、その中継ルートとして第１ルート、第２ルートを用意し、第２ルート上でルーティング情報の交換をせずに、第１ルートに障害が生じた場合には自動的に中継ルートを変更する機能を有する中継装置に関する。
【０００２】
【従来の技術】
図１５は従来の中継装置を用いたネットワークシステムの構成を示す図である。図１５に示すように、ネットワークシステム１００１は、端末１００２と、端末１００２、１００３間の通信を中継する中継装置１００４と、中継装置１００４の設定等ネットワークシステムを管理する管理装置１００５とを伝送媒体であるＬＡＮ（Ｌｏｃａｌ  Ａｒｅａ  Ｎｅｔｗｏｒｋ）１００６で接続して構成している。中継装置１００４にはローカルコンソール１００７が接続されている。ネットワークシステム１００８は、端末１００３と、端末１００２、１００３間の通信を中継する中継装置１００９とを伝送媒体であるＬＡＮ１０１１で接続して構成している。中継装置１００９にはローカルコンソール１０１２が接続されている。ネットワークシステム１００１、１００８は回線交換網１０１４を介して接続されＷＡＮ（Ｗｉｄｅ  Ａｒｅａ  Ｎｅｔｗｏｒｋ）を構築している。なお、これ以降、中継装置から見て中継装置を含みＬＡＮで接続されたローカルエリア側のシステムをＬＡＮ側といい、回線交換網１０１４を介して接続されている他のシステムをＷＡＮ側ということにする。
【０００３】
図１６は従来の中継装置を用いた他のネットワークシステムの構成を示す図である。図１６に示すように、ネットワークシステム１０２１は、端末１０２２と、端末１０２２、１０２３間の通信を中継する中継装置１０２４と、中継装置１０２４の設定等ネットワークシステムを管理する管理装置１０２５とを伝送媒体であるＬＡＮ１０２６で接続して構成している。中継装置１０２４にはローカルコンソール１０２７が接続されている。ネットワークシステム１０２８は、端末１０２３と、端末１０２２、１０２３間の通信を中継する中継装置１０２９、１０３０とを伝送媒体であるＬＡＮ１０３１で接続して構成している。中継装置１０２９、１０３０には各々ローカルコンソール１０３２、１０３３が接続されている。ネットワークシステム１０２１、１０２８は各々回線交換網１０３４、専用線１０３５を介して接続されＷＡＮを構築している。なお、これ以降、中継装置から見て中継装置を含みＬＡＮで接続されたローカルエリア側のシステムをＬＡＮ側といい、回線交換網１０３４、専用線１０３５を介して接続されている他のシステムをＷＡＮ側ということにする。
【０００４】
図１７は従来の中継装置の構成を示すブロック図である。従来の中継装置は、ＣＰＵからなり、かつ中継装置における各種処理を実行する中央制御部１０４１と、あるネットワークから受けたデータを他のネットワークに送信する場合にフレームの宛先、フォーマット等のチェックをするためにそのフレームを一時的に格納するためのデータバッファ１０４２と、中央制御部１０４１で処理される各種機能のプログラム又はプログラムが使用するデータが記憶されているメモリ１０４３と、ＲＳ２３２Ｃ等で接続されているローカルコンソールとの間で入出力の制御を行うローカルコンソール制御部１０４４と、本体に接続されているＬＡＮ１、・・・ＬＡＮｎ各々からのデータの送受信を行うＬＡＮ側制御部１０４５ａ、・・・１０４５ｎと、本体に接続されているＷＡＮ１、・・・ＷＡＮｎ各々からのデータの送受信を行うＷＡＮ側制御部１０４６ａ、・・・１０４６ｎと、各構成要素を接続する内部バス１０４７とから構成される。
【０００５】
図１５に示す従来のネットワーク構成においては、端末１００２、１００３間で通信を行う場合、図１８のルーティングテーブルに示すように、中継装置１００４のルーティングテーブルには宛先ネットワークアドレス情報ＮＡ２のエントリが一つ存在し、同様に中継装置１００９のルーティングテーブルには宛先ネットワークアドレス情報ＮＡ１のエントリが一つ存在する。端末１００２から端末１００３宛のデータを受信した中継装置１００４は、ルーティングテーブルから宛先ネットワークアドレス情報がＮＡ２のエントリを検索し、そのエントリから中継先の中継装置アドレス情報として中継装置１００９のＰ１のアドレスを得る。中継装置１００４は自動発呼機能を有しているので、回線交換網１０１４を介して中継装置１００９との間に回線を接続し、中継装置１００９のＰ１宛にデータを送信する。端末１００３宛のデータを受信した中継装置１００９は、ルーティングテーブルから宛先ネットワークアドレス情報がＮＡ２のエントリを検索し、そのエントリから中継先の中継装置のアドレス情報として中継装置１００９のＰ２アドレスを得るので、中継装置１００９のＰ２宛にデータを送信する。
【０００６】
端末１００２、１００３間で一定時間の無通信状態が続くと、中継装置１００４、１００９は自動切断機能を有しているので、一定時間、無通信状態が続いたことを認識すると、自動的に回線を切断する。このように、一定時間、無通信状態が続いた時に自動切断することで回線使用料の無駄な課金を防止する。
【０００７】
ここで、中継装置１００４、１００９が有する自動発呼機能及び自動切断機能について説明する。まず、前者の自動発呼機能について説明する。中継装置１００４、１００９は、ローカルエリア内の端末１００２または端末１００３からデータ送信要求を受信した時に回線が接続されていないと、自動的に回線を接続してデータを送信する。これが自動発呼機能である。次に、後者の自動切断機能について説明する。中継装置１００４、１００９は、回線使用料を削減するために、端末１００２、１００３間の通信が一定時間なければ、自動的に回線を切断してしまう。これが自動切断機能である。回線が切断されている状態でデータ送信要求があると、自動発呼機能により改めて回線を接続しデータを送信することになる。この機能により、無駄な課金を防止して回線使用料の削減を図っている。
【０００８】
図１６に示す従来のネットワーク構成においては、図１９に示されたルーティングテーブルに従って、端末１０２２、１０２３間で通信を行う場合、中継装置１０２４のルーティングテーブルには宛先ネットワークアドレス情報としてＮＡ２が一つ存在し、同様に中継装置１０２９、１０３０のルーティングテーブルには宛先ネットワークアドレス情報としてＮＡ１が一つずつ存在する。端末１０２２から端末１０２３宛のデータを受信した中継装置１０２４は、ルーティングテーブルから宛先ネットワークアドレス情報がＮＡ２のエントリを検索し、そのエントリから中継先の中継装置のアドレス情報として中継装置１０２９のＰ１のアドレスを得るので、中継装置１０２９のＰ１宛にデータを送信する。端末１０２３宛のデータを受信した中継装置１０２９は、ルーティングテーブルから宛先ネットワークアドレス情報がＮＡ２のエントリを検索し、そのエントリから中継先の中継装置のアドレス情報として中継装置１０２９のＰ２のアドレスを得るので、中継装置１０２９のＰ２宛にデータを送信する。
【０００９】
【発明が解決しようとする課題】
しかしながら、上記した図１５に示す従来の中継装置では、中継装置１００４、１００９間の中継ルートをスタティックに登録した場合、図１８に示すように中継装置１００４のルーティングテーブルに、宛先ネットワークアドレス情報ＮＡ２に関して、中継先の中継装置のアドレス情報を中継装置Ｒ２のＰ１のアドレスで登録するとともに、宛先ネットワークアドレス情報及び中継先中継装置アドレス情報と宛先まで到達するのに介する中継装置の数を意味する計量を２で登録し、更に登録要因識別子をスタティックで登録する。同様に中継装置１００９のルーティングテーブルに、宛先ネットワークアドレス情報ＮＡ１に関して、中継先の中継装置のアドレスを中継装置Ｒ１のＰ１のアドレスで登録するとともに、計量を２で登録し、更に登録要因識別子をスタティックで登録する。ここでは、データがある時のみデータを送るようにしないと通信コストが増加するので、ダイナミック登録ではなく、スタティック登録を行っている。この場合、中継装置１００４、１００９間に障害が発生すると、中継装置１００４、１００９間に回線交換網１０１４の１本の通信網しか設けていないので、端末１００２、１００３間の通信は行なえなくなるという問題がある。
【００１０】
次に、上記した図１６に示す従来の中継装置では、ＷＡＮを介してルーティング情報の交換をするようにした場合、図１９に示すように中継装置１０２４のルーティングテーブルには宛先ネットワークアドレス情報ＮＡ２に関して、中継先中継装置アドレス情報が中継装置Ｒ２のＰ１のアドレス、計量が２、登録要因識別子がダイナミックのエントリが登録される。また、中継装置１０２９のルーティングテーブルには宛先ネットワークアドレス情報ＮＡ１に関して、中継先中継装置アドレス情報が中継装置Ｒ１のＰ１のアドレス、計量が２、登録要因識別子がダイナミックのエントリが登録され、中継装置１０３０のルーティングテーブルには宛先ネットワークアドレス情報ＮＡ１に関して、中継先中継装置アドレス情報が中継装置Ｒ１のＰ３のアドレス、計量が２、登録要因識別子がダイナミックのエントリが登録される。従って、端末１０２２から端末１０２３宛のデータは専用線１０３５を介して行われ、端末１０２３から端末１０２２宛のデータは回線交換網１０３４または専用線１０３５を介して行われる。この時、中継装置１０２４、１０２９間に障害が発生して専用線１０３５の使用が行えなくなった場合、回線交換網１０３４を介して交換しているルーティング情報から中継装置１０２４のルーティングテーブルには、図２０に示すように、宛先ネットワークアドレス情報ＮＡ２に関して、中継先中継装置アドレス情報が中継装置Ｒ３のＰ１のアドレス、計量が２、登録要因識別子がダイナミックのエントリが登録されるため、端末１０２２、１０２３間の通信は回線交換網１０３４を介して行われる。なお、中継装置１０２４は、専用線１０３５を介して中継装置１０２９をルーティング情報の遣り取りを行うことにより、中継装置１０２４、１０２９間の障害を知ることができるので、その情報を基に今度は回線交換網１０３４を用いて中継装置１０３０とのルーティング情報の遣り取りを行う。また、仮に中継装置１０２４、１０３０間に障害が発生して回線交換網１０３４の使用が行えなくなった場合、中継装置１０２４は、中継装置１０３０とのルーティング情報により中継装置１０２４、中継装置１０３０間の障害を知ることができるので、その情報を基に今度は専用線１０３５を用いて中継装置１０２９とのルーティング情報の遣り取りを行う。従って、回線交換網１０３４、専用線１０３５のどちらかに障害が発生しても、障害が発生していない回線交換網１０３４、専用線１０３５の何れかを適宜選択することにより、端末１０２２、１０２３間の通信を行うことができる。
【００１１】
しかしながら、上記した図１６に示す従来の中継装置では、中継装置１０２４が有する自動切断機能を行うためのタイムアウト設定値が、ルーティング情報の送信間隔より短いと、ルーティング情報を送信するために回線を接続することにもなり切断されているため、ルーティング情報を送信するために回線を接続することになることもあり、逆に中継装置１０２４が有する自動切断機能を行うためのタイムアウト設定値が、ルーティング情報の送信間隔より長いと、ルーティング情報を送信する時に回線が常に繋っており、自動切断する前にルーティング情報の交換が行われることとなり、端末１０２２、１０２３間の通信がなくても、回線は接続されたままとなるので、ルーティング情報を交換している間は回線使用料を削減することができないという問題があった。
【００１２】
そこで、本発明は、障害発生時にバックアップルートを得ることができるとともに、不要な通信コストを抑えることができる中継装置を提供することを目的としている。
【００１３】
【課題を解決するための手段】
本発明に係る中継装置は、ネットワークシステムに含まれるとともに、回線が接続されていない時に回線を自動的に接続する自動発呼手段及び端末間の通信が一定時間ない時に回線を自動的に切断する自動切断手段を有し、かつ公衆回線を介して通信を行う端末間のデータの中継を行う中継装置において、同一ネットワークアドレス宛のルート情報を複数有し、かつ第１の回線を介した第１の中継ルートに障害が生じた場合、中継ルートを自動的に障害が生じていない第２の回線を介した第２の中継ルートに変更するルート変更手段を有することを特徴とするものである。
【００１４】
上記中継装置においては、宛先ネットワークのアドレス情報と、中継先中継装置のアドレス情報と、宛先まで到達するのに介する中継装置の数と、スタティック登録であるかダイナミック登録であるかを示す登録要因識別子とを含むエントリを登録するルーティングテーブルを有し、該ルーティングテーブルは、受信したルーティング情報のうち、前記登録要因識別子がスタティック登録で、かつ受信したルーティング情報に設定された計量に１足した値が、スタティック登録された計量よりも小さい場合、エントリを登録することを特徴とするものである。
【００１５】
上記中継装置においては、宛先ネットワークのアドレス情報と、中継先中継装置のアドレス情報と、宛先まで到達するのに介する中継装置の数と、スタティック登録かダイナミック登録かを示す登録要因識別子とを含むエントリを登録するルーティングテーブルを有し、該ルーティングテーブルは、受信したルーティング情報のうち、前記登録要因識別子がスタティック登録で、かつ受信したルーティング情報に設定された計量に１足した値が、スタティック登録された計量よりも大きいか、または等しい場合、エントリを登録しないことを特徴とするものである。
【００１６】
上記中継装置においては、前記ルーティングテーブルは、宛先ネットワークアドレス情報のエントリをスタティック登録する場合、ダイナミック登録された同一宛先ネットワークアドレス情報のエントリが存在していても同一宛先ネットワークアドレス情報のエントリをスタティック登録することを特徴とするものである。
【００１７】
上記中継装置においては、前記ルーティングテーブルに登録されているエントリのうち任意のエントリを削除するエントリ削除手段を有することを特徴とするものである。
【００１８】
上記中継装置においては、前記ルーティングテーブルに同一宛先ネットワークアドレス情報のエントリが複数存在する場合、計量の少ないルートを中継ルートとして使用することを特徴とするものである。
【００１９】
上記中継装置においては、前記ルーティングテーブルに登録されている全エントリの内容を接続されたローカルコンソールに表示する表示手段を有することを特徴とするものである。
【００２０】
上記中継装置においては、前記ルーティングテーブルに登録されている全エントリの内容を前記ネットワークシステムに含まれる管理装置に表示する表示手段を有することを特徴とするものである。
【００２１】
上記中継装置においては、前記ルーティングテーブルに登録されているエントリのうち、同一ネットワークアドレス宛のルート情報が複数存在する場合、現状中継ルートとして使用しているエントリを接続されたローカルコンソールに表示する表示手段を有することを特徴とするものである。
【００２２】
上記中継装置においては、前記ルーティングテーブルに登録されているエントリのうち、同一ネットワークアドレス宛のルート情報が複数存在する場合、現状中継ルートとして使用しているエントリを前記ネットワークシステムに含まれる管理装置に表示する表示手段を有することを特徴とするものである。
【００２３】
上記中継装置においては、エントリの有効性を監視するタイムアウトタイマと、タイムアウトタイマがタイムアウトしエントリを無効にして前記ルーティングテーブルから削除するまでの時間を監視するガーベッジコレクションタイマとの各タイマ値をポート毎の情報として登録するポート情報テーブルを有することを特徴とするものである。
【００２４】
上記中継装置においては、前記ポート情報テーブルに登録したタイムアウトタイマとガーベッジコレクションタイマの各タイマ値を接続されたローカルコンソールに表示する表示手段と、表示したタイムアウトタイマとガーベッジコレクションタイマの各タイマ値を変更する変更手段とを有することを特徴とするものである。
【００２５】
上記中継装置においては、前記ポート情報テーブルに登録したタイムアウトタイマとガーベッジコレクションタイマの各タイマ値を前記管理装置に表示する表示手段と表示したタイムアウトタイマとガーベッジコレクションタイマの各タイマ値を変更する変更手段とを有することを特徴とするものである。
【００２６】
上記中継装置においては、前記管理装置のアドレスを登録する管理装置アドレステーブルを有することを特徴とするものである。
【００２７】
上記中継装置においては、中継ルートに変更があった場合、前記ローカルコンソールに変更前後の中継ルート情報を含めてアラームを通知するアラーム通知手段を有することを特徴とするものである。
【００２８】
上記中継装置においては、中継ルートに変更があった場合、前記管理装置に変更前後の中継ルート情報を含めてアラームを通知するアラーム通知手段を有することを特徴とするものである。
【００２９】
【発明の実施の形態】
以下、本発明の実施例を図面を参照して説明する。
【００３０】
実施の形態１．
図１は本発明に係る実施例１の中継装置を用いたネットワークシステムの構成を示すブロック図である。本実施例におけるネットワークシステム１は、端末２と、中継装置の設定等ネットワークシステムを管理する管理装置３と、本発明に係る特徴部分であり、かつローカルコンソール４が接続された中継装置５とがＬＡＮ６に接続されている。本実施例におけるネットワークシステム１に接続されたネットワークシステム７は、２台の中継装置８、９が接続されている。中継装置８は、ローカルコンソール１０と、ポート番号Ｐ１、Ｐ２のポートに専用線１１及びＬＡＮ１２がそれぞれ接続されており、ＬＡＮ１２には端末１３が接続されている。中継装置９は、ローカルコンソール１４と、ポート番号Ｐ１、Ｐ２のポートに回線交換網１５及びＬＡＮ１２がそれぞれ接続されており、ＬＡＮ１２には端末１３が接続されている。
【００３１】
次に、図２は本発明に係る実施例１の中継装置の構成を示すブロック図である。本実施例における中継装置は、中継ルートの情報を管理するテーブル２１を設けたことを特徴としている。その他の構成は後述の如く従来と同様であり、一般的なマルチポートのルータと同等の機能を有している。テーブル２１は、更に後述するルーティングテーブル２１ａ、ポート情報テーブル２１ｂ及び管理装置アドレステーブル２１ｃに分れている。本実施例における中継装置は、テーブル２１以外の構成は従来と同様であり、ＣＰＵからなり、かつ中継装置における各種処理を実行する中央制御部２２と、あるネットワークから受けたデータを他のネットワークに送信する場合にフレームの宛先、フォーマット等のチェックをするためにそのフレームを一時的に格納するためのデータバッファ２３と、中央制御部２２で処理される各種機能のプログラム又はプログラムが使用するデータが記憶されているメモリ２４と、ＲＳ２３２Ｃ等で接続されているローカルコンソールとの間で入出力の制御を行うローカルコンソール制御部２５と、本体に接続されているＬＡＮ１、・・・ＬＡＮｎ各々からのデータの送受信を行うＬＡＮ側制御部２６ａ、・・・２６ｎと、本体に接続されているＷＡＮ１、・・・ＷＡＮｎそれぞれからのデータの送受信を行うＷＡＮ側制御部２７ａ、・・・２７ｎと、各構成要素を接続する内部バス２８とから構成される。
【００３２】
次に、図３は本発明に係る実施例の中継装置５が有する各種テーブルの内容を示す図であり、図３（ａ）はルーティングテーブル、図３（ｂ）はポート情報テーブル、図３（ｃ）は管理装置アドレステーブルを示している。図３（ａ）では、後述するルーティング情報受信処理、及びルーティング処理で使用するルーティングテーブルが示されている。図３（ａ）に示すルーティングテーブルは、宛先ネットワークアドレス情報と、その宛先ネットワークアドレスへの中継先中継装置アドレス情報と、宛先ネットワークアドレスへ到達するまでに介する中継装置の数を示す計量と、スタティック登録であるかダイナミック登録であるかを示す登録要因識別子とからなる。図４、５は図１に示すネットワークシステムの構成による各中継装置のルーティングテーブルの内容を示す図である。図３（ｂ）のポート情報テーブルと図３（ｃ）の管理装置アドレステーブルの詳細は追って説明する。
【００３３】
次に、図６は本発明に係る実施例１のルーティング情報を受信した時の中継装置におけるルーティング情報受信処理フローを示すフローチャートである。以下、中継装置が有する各種テーブルを説明しながら、本実施例における中継装置がルーティング情報を受信した時の処理について説明する。
【００３４】
図４に示されるように、中継装置５のルーティングテーブルに宛先ネットワークアドレス情報ＮＡ２のエントリをネットワーク構成の実際の最小の計量に１足した値の計量でスタティック登録する。また、中継装置９のルーティングテーブルに宛先ネットワークアドレス情報ＮＡ１のエントリをネットワーク構成の実際の最小の計量に１足した値の計量でスタティック登録する。この時、中継装置５が専用線１１を介して、中継装置８から宛先ネットワークアドレス情報ＮＡ２のルーティング情報を受信した時の処理を説明する。
【００３５】
図６において、中継装置５が専用線１１を介して、中継装置８から宛先ネットワークアドレス情報ＮＡ２のルーティング情報を受信した時、その受信ルーティング情報の計量１に１足した値をｉｎｆｉｎｉｔｙ（通常１６）と比較する。このように、中継装置５から見て、専用線１１を介した計量１に１足した値は、ｉｎｆｉｎｉｔｙより小さいので（ステップＳ１０１）、ルーティングテーブル検索処理を行い、宛先ネットワークアドレス情報ＮＡ２が中継装置５のルーティングテーブルの中に既に登録されているか否かを検索する（ステップＳ１０２）。
【００３６】
ここで、ルーティングテーブル検索処理フローを図７に示すフローチャートを用いて説明する。中継装置５が専用線１１を介して中継装置８から送信されてきて受信した受信ルーティング情報の宛先ネットワークアドレス情報ＮＡ２が中継装置５のルーティングテーブルに既に登録されているかを検索し、図４に示すように、受信ルーティング情報の宛先ネットワークアドレス情報ＮＡ２が中継装置５のルーティングテーブルに既に登録されているので（ステップＳ２０１）、そのエントリの登録番地（ポインタ）を返す（ステップＳ２０２）。
【００３７】
その結果、前述の如く、中継装置５に宛先ネットワークアドレス情報ＮＡ２が既に登録されているため、その情報の入っているテーブルの登録番地を返し、エントリ有りで返ってくると、そのエントリの登録要因識別子がダイナミック登録であるかスタティック登録であるかをルーティングテーブルから検索し、図４に示すようにそのエントリの登録要因識別子がスタティック登録であるので（ステップＳ１０３）、受信ルーティング情報の計量１に１を足した値と、既に登録されているスタティック登録の計量３とを比較し、受信ルーティング情報の計量１に１を足した値が既に登録されているスタティック登録の計量３より小さいので（ステップＳ１０４）、エントリ登録処理を行う（ステップＳ１０５）。
【００３８】
ここで、エントリ登録処理フローを図８のフローチャートを用いて説明する。まず、ルーティングテーブルにエントリとして登録するのに必要な以下の情報を設定する。宛先ネットワークアドレス情報としてＮＡ２、中継先中継装置アドレス情報として中継装置８のＰ１のアドレス、計量として受信したルーティング情報の計量に１足した値の２、登録要因識別子としてダイナミックを設定する（ステップＳ３０１）。そのエントリを中継装置５のルーティングテーブルに登録し（ステップＳ３０２）、ルーティングテーブル検索処理においてルーティングテーブルに同一宛先ネットワークアドレス情報のエントリが複数ある場合に、計量の小さいエントリの登録番地を返すように、計量によるソートを行う（ステップＳ３０３）。その結果、中継装置５のルーティングテーブルは、図５に示すように、宛先ネットワークアドレス情報ＮＡ２に関して、中継先中継装置アドレス情報が中継装置８のＰ１のアドレス、計量が２、登録要因識別子がダイナミックのエントリが登録される。
【００３９】
エントリ登録処理が完了したので、エントリの有効性を監視するＴＯ（タイムアウト）タイマを起動し（ステップＳ１０６）、ルーティング情報受信処理を終了する。例えばダイナミックに情報を受信すると、その受信情報が一定時間中継装置に来ないと、そのルートは使用できないものと判断する。新しく中継装置に情報が入って来た時に、ＴＯタイマによりタイマを起動し直す。
そして、その情報が一定時間送られて来ないと、タイマはタイムアウトされ、今まで使用されていたルートは使用することができないものと判断する。
【００４０】
次に、中継装置８が中継装置５から、宛先ネットワークアドレス情報ＮＡ１のルーティング情報を受信した時のルーティング情報受信処理を説明する。中継装置８が専用線１１を介して中継装置５から宛先ネットワークアドレス情報ＮＡ１のルーティング情報を受信した時、その受信ルーティング情報の計量１に１足した値を、ｉｎｆｉｎｉｔｙ（通常１６）と比較する。このように、中継装置８から見て、専用線１１を介した受信ルーティング情報の計量１に１足した値はｉｎｆｉｎｉｔｙよりも小さいので（ステップＳ１０１）、ルーティングテーブル検索処理を行い、宛先ネットワークアドレス情報ＮＡ１が中継装置８のルーティングテーブルの中に既に登録されているか否かを検索する（ステップＳ１０２）。ここで、図４に示された中継装置８のルーティングテーブルには、図４に示すように、宛先ネットワークアドレス情報ＮＡ１のエントリは登録されていないので（ステップＳ２０１）、エントリ無しを返す（ステップＳ２０３）。
【００４１】
エントリ無しを受けたルーティング情報受信処理では、ステップＳ１０３及びステップＳ１０４を介さずにエントリ登録処理を行う（ステップＳ１０５）。図８に示されたエントリ登録処理のフローチャートに従い、エントリとして必要な以下の情報を設定する。宛先ネットワークアドレス情報としてＮＡ１、中継先中継装置アドレス情報として中継装置５のＰ１のアドレス、計量として受信したルーティング情報の計量に１足した値の２、登録要因識別子としてダイナミックを設定する（ステップＳ３０１）。中継装置８のルーティングテーブルにエントリを登録し（ステップＳ３０２）、ルーティングテーブル検索処理においてルーティングテーブルに同一宛先ネットワークアドレス情報のエントリが複数ある場合に、計量の小さい登録番地を返すように、計量によるソートを行う（ステップＳ３０３）。その結果、図５に示されるように、中継装置８のルーティングテーブルには、宛先ネットワークアドレス情報ＮＡ１に関して、中継先中継装置アドレス情報が中継装置５のＰ１のアドレス、計量が２、登録要因識別子がダイナミックのエントリが登録される。
【００４２】
中継装置８が宛先ネットワークアドレス情報ＮＡ４について中継装置５からルーティング情報を受信した場合、及び中継装置９が宛先ネットワークアドレス情報ＮＡ３について中継装置８からルーティング情報を受信した場合も、前述したステップＳ１０１からステップＳ３０２までと同様の処理を行うことにより、中継装置８、９の各ルーティングテーブルにエントリが登録され、図５に示されるルーティングテーブルが作成される。
【００４３】
次に、中継装置８が中継装置９から、宛先ネットワークアドレス情報ＮＡ１のルーティング情報を受信した時のルーティング情報受信処理を説明する。
【００４４】
受信ルーティング情報には、送信元中継装置アドレス情報として中継装置９のＰ２のアドレス、計量として２が設定されている。受信した計量に１足した値はｉｎｆｉｎｉｔｙより小さいので（ステップＳ１０１）、ルーティングテーブル検索処理（ステップＳ１０２）を行う。ここで、図５に示された中継装置８のルーティングテーブルには、宛先ネットワークアドレス情報ＮＡ１のエントリは登録されているので（ステップＳ２０１）、そのエントリの登録番地を返す（ステップＳ２０２）。
【００４５】
エントリの登録要因識別子はダイナミックであるから、登録されている中継先中継装置アドレス情報と、受信ルーティング情報の中継先中継装置アドレスが等しいかどうかを検索し、登録されている中継先中継装置アドレス情報と受信ルーティング情報の中継先中継装置アドレスが等しくないので（ステップＳ１０７）、計量を比較する。受信した計量２に１足した値は、登録されている計量２より大きいので（ステップＳ１０８）、エントリの登録処理を行わないでルーティング情報受信処理を終了する。
【００４６】
次に、中継装置９が中継装置８から、宛先ネットワークアドレス情報ＮＡ１のルーティング情報を受信した時のルーティング情報受信処理を説明する。
【００４７】
受信ルーティング情報には、送信元中継装置アドレス情報として中継装置８のＰ２のアドレス、計量として２が設定されている。受信した計量に１足した値はｉｎｆｉｎｉｔｙよりも小さいので（ステップＳ１０１）、ルーティングテーブル検索処理（ステップＳ１０２）を行う。ここで、図５に示された中継装置９のルーティングテーブルには、宛先ネットワークアドレス情報ＮＡ１のエントリは登録されているので（ステップＳ２０１）、そのエントリの登録番地を返す（ステップＳ２０２）。
【００４８】
エントリの登録要因識別子はスタティックであるから、計量を比較する。受信した計量２に１足した値は、登録されている計量３と等しいので（ステップＳ１０４）、エントリの登録処理を行わないでルーティング情報受信処理を終了する。
【００４９】
以上のように、各中継装置のルーティングテーブルには、ネットワークシステム内の各ネットワークアドレスに関するエントリが登録される。
【００５０】
ここで、ルーティング処理フローを図９のフローチャートを用いて、図５のルーティングテーブルに基づいて説明する。
【００５１】
端末２から端末１３宛のデータを中継装置５が受信した場合、まずルーティングテーブル検索処理を行う（ステップＳ４０１）。図５に示された中継装置５のルーティングテーブルには宛先ネットワークアドレス情報ＮＡ２のエントリが２つ存在するが、計量の小さいダイナミック登録されたエントリの登録番地が返される（ステップＳ４０２）。その計量はｉｎｆｉｎｉｔｙよりも小さいので（ステップＳ４０３）、中継先中継装置アドレス情報として得た中継装置８のＰ１のアドレス宛に受信データを送信する（ステップＳ４０４）。
【００５２】
端末１３宛のデータを受信した中継装置８は、同様にルーティングテーブル検索処理を行い（ステップＳ４０１）、その結果得た中継先中継装置アドレスである中継装置９のＰ２宛にデータを送信し（ステップＳ４０４）、ルーティング処理を終了する。
【００５３】
以上のように専用線１１を介して、端末２、１３間の通信を行う。ここで中継装置５、８間に障害が発生し、専用線１１を介した通信ができなくなった場合のエントリ削除処理について説明する。
【００５４】
中継装置５には、専用線１１を介して交換していたルーティング情報が届かなくなるため、宛先ネットワークアドレス情報ＮＡ２のエントリの有効時間を示すＴＯ（タイムアウト）タイマがタイムアウトする。ＴＯタイマがタイムアウトすると、図１０に示されたＴＯタイマタイムアウト処理のフローチャートに従い、ダイナミック登録された宛先ネットワークアドレス情報ＮＡ２のエントリの計量をｉｎｆｉｎｉｔｙに変更し（ステップＳ５０１）、ＴＯタイマがタイムアウトしエントリを無効にしてルーティングテーブルから削除するまでの時間を監視するＧＣ（ガーベッジコレクションタイマ）タイマを起動する（ステップＳ５０２）。
【００５５】
宛先ネットワークアドレス情報ＮＡ２のＧＣタイマがタイムアウトすると、図１１に示されたＧＣタイマタイムアウト処理のフローチャートに従い、エントリ削除処理を行う（ステップＳ６０１）。
【００５６】
ここでエントリ削除処理フローを図１２のフローチャートを用いて説明する。中継装置５のルーティングテーブルから宛先ネットワークアドレス情報ＮＡ２のエントリを削除し（ステップＳ７０１）、計量によるソートを行う（ステップＳ７０２）。その結果、中継装置５のルーティングテーブルは図４のようになる。
【００５７】
この時、端末２から端末１３宛のデータを受信した中継装置５は、図９に示されるルーティング処理に従って、ルーティングテーブルを検索し（ステップＳ４０１）、スタティック登録された宛先ネットワークアドレス情報ＮＡ２のエントリの登録番地を得る（ステップＳ４０２）。そのエントリの計量はｉｎｆｉｎｉｔｙよりも小さいので（ステップＳ４０３）、中継先中継装置アドレスとして得た中継装置９のＰ１のアドレス宛にデータを送信する（ステップＳ４０４）。しかし中継装置５、９間に回線は接続されていないので、自動発呼機能を用いて回線を接続し、端末２からのデータを中継装置９のＰ１のアドレス宛に送信する。
【００５８】
このように、本実施例では、専用線１１を介した中継ルートに障害が発生すると、テーブルを削除するために専用線１１を介した中継ルートは使用することができなくなるが、同じネットワークアドレスＮＡ２宛にもう１つ中継ルートが登録されているため、障害が生じていない回線交換網１５を介した中継ルートに自動的に切り替えることができ、通信を続けることができる。
【００５９】
また、中継装置５、８間の障害が復旧し専用線１１を介してルーティング情報の交換を行うことができるようになると、中継装置５のルーティングテーブルには再び宛先ネットワークアドレス情報ＮＡ２のエントリがダイナミックに登録され、中継装置８のルーティングテーブルには再び宛先ネットワークアドレス情報ＮＡ１のエントリがダイナミックに登録されるので、端末２、１３間の通信は専用線１１を介して行うことができる。
【００６０】
また、回線交換網１１を介した通信がなくなるので、自動切断機能により中継装置５、９間の回線は切断されるため、無駄な通信コストはかからないようにすることができる。
【００６１】
また、登録要因識別子がスタティック登録で、かつ受信したルーティング情報に設定された計量に１足した値がスタティック登録された計量よりも小さい場合のみエントリを登録するとともに、受信したルーティング情報に設定された計量に１足した値がスタティック登録された計量よりも大きいか、または等しい場合、エントリを登録しないようにすることにより、端末２、１３間の回線に障害が生じた時、スタティック登録した中継ルートへの切り換えを行うことができるため、回線使用量を削減することができる。
【００６２】
以上のように、本発明に係る中継装置は、同一宛先ネットワークアドレスへの中継ルートが複数存在する場合があるが、ルーティングテーブルに登録されている全エントリの内容を管理装置３及びローカルコンソール４、１０、１４に表示するように構成してもよい。この場合、ネットワーク管理者はシステム内の全中継ルートを把握することができる。
【００６３】
また、本発明に係る中継装置は、ルーティングテーブルにおけるルーティングに使用するエントリ、即ち現状中継ルートとして使用しているエントリの内容を管理装置３及びローカルコンソール４、１０、１４に表示するように構成してもよい。この場合、ネットワーク管理者は障害ルートと使用中の中継ルートを把握することができる。
【００６４】
ところで、本発明に係る中継装置は、図３（ｂ）に示すように、エントリの有効性を監視するＴＯタイマと、ＴＯタイマがタイムアウトしエントリを無効にしてルーティングテーブルから削除するまでの時間を監視するＧＣタイマの各タイマ値をポート毎の情報として登録するポート情報テーブルを有するように構成してもよい。ポート情報テーブルは、ポート番号と、ＴＯタイマ値と、ＧＣタイマ値とからなり、ＴＯタイマ及びＧＣタイマを起動する際には、該当するポート番号の各タイマ値でタイマを起動する。
【００６５】
本発明に係るローカルコンソール４、１０、１４は、各ポートのＴＯタイマ値及びＧＣタイマ値を表示するように構成してもよい。この場合、端末２、１３間の回線に障害が発生した時にルート切り替えに要する時間を知ることができる。更に、ＴＯタイマとＧＣタイマの各タイマ値をローカルコンソール４、１０、１４から変更するように構成してもよい。これにより、ルーティングテーブルからエントリを削除するまでの時間を変更することができる。なお、ＴＯタイマとＧＣタイマの各タイマ値の表示と変更は、前述の如く、ローカルコンソール４、１０、１４で行うのみならず、管理装置３で行うように構成してもよく、この場合も、ローカルコンソール４、１０、１４で行う場合と同様の効果を得ることができる。
【００６６】
また、本発明に係わる中継装置は、接続されたローカルコンソール４、１０、１４からルーティングテーブルに登録されたエントリのうち、任意のエントリを削除するように構成してもよい。この場合、ルーティングテーブルに登録されているエントリのうち任意のエントリを削除することができるので、中継ルートを任意に変更することができる。
【００６７】
本発明に係る中継装置は、中継ルートに変更があった場合には、接続されているローカルコンソールに、変更前後の中継ルート情報を含めてアラームを通知するように構成してもよい。この場合、障害があって回線を切り換えた時、回線を切り換えた旨をローカルコンソールに表示することができるので、ネットワーク管理者が障害の発生を知ることができる。
【００６８】
更に、本発明に係わる中継装置は、管理装置がどこにあるかを知ることができるように、管理装置のアドレスを登録する図３（ｃ）に示すような管理装置アドレステーブルを有するように構成してもよい。また、中継ルートに変更があった場合にはネットワークシステムに含まれる１つ、または複数の管理装置に、変更前後の中継ルート情報を含めてアラームを通知するように構成してもよい。これにより、障害があって回線を切り換えた時、回線を切り換えた旨を管理装置に表示することができるので、ネットワーク管理者が管理装置側で、ネットワークシステム内の障害を知ることができるとともに、どのような中継ルートの変更があったかを管理装置側で知ることができる。
【００６９】
実施の形態２．
図１３は本発明に係る実施例２の中継装置を用いたネットワークシステムの構成を示すブロック図である。図１３において、図１と同一符号は同一または相当部分を示し、３１、３２は各々中継装置、中継装置３１に接続されたローカルコンソールである。上記実施例１では、中継装置５に対して専用線１１を介し中継装置８を接続するとともに、回線交換網１５を介し中継装置９を接続して構成したが、本実施例のように中継装置５と、中継装置８とを専用線１１を介して接続し、中継装置９と中継装置３１とを回線交換網１５を介して接続して構成してもよい。
【００７０】
本実施例においては、中継装置３１のルーティングテーブルに、宛先ネットワークアドレス情報ＮＡ２にて、中継先中継装置アドレス情報が中継装置９のＰ１のアドレス、計量が３、登録要因識別子がスタティックのエントリを登録する。また、中継装置９のルーティングテーブルに、宛先ネットワークアドレス情報ＮＡ１にて、中継先中継装置アドレス情報が中継装置３１のＰ１のアドレス、計量が３、登録要因識別子がスタティックのエントリを登録する。
【００７１】
この時、専用線１７を介した中継装置５、８間の中継ルートに障害が発生すると、自動発呼機能を用いて中継装置９、３１間に回線が接続され、回線交換網１５を介した中継装置９、３１間の中継ルートに切り替わる。また、障害が復旧し、専用線１１を介した中継ルートに切り替わると、回線交換網１５を介した通信がなくなるので、自動切断機能により回線を切断する。従って、本実施例も、上記実施例１の効果と同様、バックアップルートを提供するとともに、回線使用料を最小限に抑えることができる。
【００７２】
実施の形態３．
図１４は本発明に係る実施例２の中継装置を用いたネットワークシステムの構成の構成を示すブロック図である。図１４において、図１と同一符号は同一または相当部分を示す。上記実施例１では、中継装置５に対して専用線１１を介し中継装置８を接続するとともに、回線交換網１５を介して中継装置９を接続して構成したが、本実施例のように、中継装置５のＰ１と、中継装置８のＰ１とは専用線１１を介して接続し、中継装置５のＰ３と、中継装置８のＰ３とを回線交換網１５を介して接続して構成してもよい。
【００７３】
本実施例においては、中継装置５のルーティングテーブルに、宛先ネットワークアドレス情報ＮＡ２にて、中継先中継装置アドレス情報が中継装置８のＰ３のアドレス、計量が３、登録要因識別子がスタティックのエントリを登録する。また、中継装置８のルーティングテーブルに、宛先ネットワークアドレス情報ＮＡ１にて、中継先中継装置アドレス情報が中継装置５のＰ３のアドレス、計量が３、登録要因識別子がスタティックのエントリを登録する。
【００７４】
この時、専用線１１を介した中継装置５、８間の中継ルートに障害が発生すると、自動発呼機能を用いて中継装置５、８間に回線が接続され、回線交換網１５を介した中継装置５、８間の中継ルートに切り替わる。また、障害が復旧し、専用線１１を介した中継ルートに切り替わると、回線交換網１５を介した通信がなくなるので、自動切断機能により回線を切断する。従って、本実施例も、上記実施例１、２の効果と同様、バックアップルートを提供するとともに、回線使用料を最小限に抑えることができる。
【００７５】
なお、上記各実施例では、ある宛先ネットワークアドレス情報のエントリをダイナミック登録する場合、同一宛先ネットワークアドレス情報のエントリが既にスタティック登録されている場合を示したが、本発明はこれのみに限定されるものではなく、同一宛先ネットワークアドレス情報のエントリを既にダイナミック登録されていてもスタティック登録することができるように構成してもよい。この場合も、上記各実施例と同様回線使用量を削減することができる。
【００７６】
【発明の効果】
本発明によれば、第１の回線を介した第１の中継ルートに障害が生じた場合、テーブルを削除するために第１の回線を介した第１の中継ルートは使用することができなくなるが、これと同一のネットワークアドレス宛には別の第２の回線を介した第２の中継ルートが登録されているため、障害が生じていない第２の回線を介した第２の中継ルートに自動的に切り替わることにより、通信を続けることができるという効果がある。
【００７７】
また、登録要因識別子がスタティック登録で、かつ受信したルーティング情報に設定された計量に１足した値がスタティック登録された計量よりも小さい場合にのみエントリを登録することにより、端末間の回線に障害が生じた時、スタティック登録した中継ルートへの切り換えを行うことができるため、回線使用量を削減することができるという効果がある。
【００７８】
また、登録要因識別子スタティック登録で、かつ受信したルーティング情報に設定された計量に１足した値が、スタティック登録された計量よりも大きいか、または等しい場合、エントリを登録しないようにすることにより、スタティック登録した中継ルートへの切り換えを行うことができるため、回線使用量を削減することができるという効果がある。
【００７９】
また、宛先ネットワークアドレス情報のエントリをスタティック登録する場合、同一宛先ネットワークアドレス情報のエントリを既にダイナミック登録されていてもスタティック登録することにより、回線使用量を削減することができるという効果がある。
【００８０】
また、ルーティングテーブルに登録されているエントリのうち任意のエントリを削除することにより、中継ルートを任意に変更することができるという効果がある。
【００８１】
また、ルーティングテーブルに同一宛先ネットワークアドレス情報のエントリが複数存在する場合、計量の少ないルートを中継ルートとして使用することにより、回線使用量を削減することができるという効果がある。
【００８２】
また、ルーティングテーブルに登録されている全エントリの内容を接続されたローカルコンソールに表示することにより、ネットワーク管理者はシステム内の全中継ルートを把握することができるという効果がある。
【００８３】
また、ルーティングテーブルに登録されている全エントリの内容をネットワークシステムに含まれる管理装置に表示することにより、ネットワーク管理者はシステム内の全中継ルートを把握することができるという効果がある。
【００８４】
また、現状中継ルートとして使用しているエントリを、接続されたローカルコンソールに表示させることにより、ネットワーク管理者は、障害ルートと中継ルートを把握することができるという効果がある。
【００８５】
また、現状中継ルートとして使用しているエントリを、ネットワークシステムに含まれる管理装置に表示させることにより、ネットワーク管理者は障害ルートと中継ルートを把握することができるという効果がある。
【００８６】
また、タイムアウトタイマとガーベッジコレクションタイマの各タイマ値をポート毎の情報として登録することにより、ポート毎に登録したタイマ値で動作することができるという効果がある。
【００８７】
また、登録したタイムアウトタイマとガーベッジコレクションタイマの各タイマ値を表示することにより、障害が発生した時にルート切り換えに要する時間を知ることができるという効果がある。
更に、タイムアウトタイマとガーベッジコレクションタイマの各タイマ値を変更することにより、ルーティングテーブルからエントリを削除するまでの時間を変更することができるという効果がある。
【００８８】
また、管理装置のアドレスを登録することにより、管理装置へアラームを通知することができるという効果がある。
【００８９】
また、中継ルートに変更があった場合、ローカルコンソールに変更前後の中継ルート情報を含めてアラームを通知することにより、ネットワーク管理者が障害の発生を知ることができるという効果がある。
【００９０】
また、中継ルートに変更があった場合、管理装置に変更前後の中継ルート情報を含めてアラームを通知することにより、ネットワーク管理者がネットワークシステム内の障害を知ることができるとともに、どのような中継ルートの変更があったかを知ることができるという効果がある。
【図面の簡単な説明】
【図１】本発明に係る実施例１の中継装置を用いたネットワークシステムの構成を示すブロック図である。
【図２】本発明に係る実施例１の中継装置の構成を示すブロック図である。
【図３】本発明に係る実施例１の中継装置が有する各種テーブルの内容を示す図である。
【図４】本発明に係る実施例１のネットワークシステムにおけるルーティングテーブルの内容を示す図である。
【図５】本発明に係る実施例１のネットワークシステムにおけるルーティングテーブルの内容を示す図である。
【図６】本発明に係る実施例１のルーティング情報受信処理フローを示すフローチャートである。
【図７】本発明に係る実施例１のルーティングテーブル検索処理フローを示すフローチャートである。
【図８】本発明に係る実施例１のエントリ登録処理フローを示すフローチャートである。
【図９】本発明に係る実施例１のルーティング処理フローを示すフローチャートである。
【図１０】本発明に係る実施例１のＴＯタイマタイムアウト処理フローを示すフローチャートである。
【図１１】本発明に係る実施例１のＧＣタイマタイムアウト処理フローを示すフローチャートである。
【図１２】本発明に係る実施例１のエントリ削除処理フローを示すフローチャートである。
【図１３】本発明に係る実施例２の中継装置を用いたネットワークシステムの構成を示すブロック図である。
【図１４】本発明に係る実施例３の中継装置を用いたネットワークシステムの構成を示すブロック図である。
【図１５】従来の中継装置を用いたネットワークシステムの構成を示すブロック図である。
【図１６】従来の中継装置を用いたネットワークシステムの構成を示すブロック図である。
【図１７】従来の中継装置の構成を示すブロック図である。
【図１８】従来の中継装置を用いたネットワークシステムにおけるルーティングテーブルの内容を示す図である。
【図１９】従来の中継装置を用いたネットワークシステムにおけるルーティングテーブルの内容を示す図である。
【図２０】従来の中継装置を用いたネットワークシステムにおけるルーティングテーブルの内容を示す図である。
【符号の説明】
１、７  ネットワークシステム、２、１３  端末、３  管理装置、４、１０、３２  ローカルコンソール、５、８、９、３１  中継装置、６、１２  ＬＡＮ、１１  専用線、２１  テーブル、２１ａ  ルーティングテーブル、２１ｂ  ポート情報テーブル、２１ｃ  管理装置アドレステーブル、２２  中央制御部、２３データバッファ、２４  メモリ、２５  ローカルコンソール制御部、２６ａ、２６ｎ  ＬＡＮ側制御部、２７ａ、２７ｎ  ＷＡＮ側制御部、２８  バス、１００１、１００８  ネットワークシステム、１００２、１００３  端末、１００４、１００９  中継装置、１００５  管理装置、１００６、１０１１  ＬＡＮ、１００７、１０１２  ローカルコンソール、１０１４  回線交換網、１０２１、１０２８  ネットワークシステム、１０２２、１０２３  端末、１０２４、１０２９、１０３０  中継装置、１０２５  管理装置、１０２６、１０３１  ＬＡＮ、１０２７、１０３２、１０３３  ローカルコンソール、１０３４  回線交換網、１０３５  専用線、１０４１  中央制御部、１０４２  データバッファ、１０４３  メモリ、１０４４  ローカルコンソール制御部、１０４５ａ、１０４５ｎ  ＬＡＮ側制御部、１０４６ａ、１０４６ｎ  ＷＡＮ側制御部。
【図１】
0003541508.tif 000002
【図２】
0003541508.tif 000003
【図３】
0003541508.tif 000004
【図４】
0003541508.tif 000005
【図５】
0003541508.tif 000006
【図６】
0003541508.tif 000007
【図７】
0003541508.tif 000008
【図８】
0003541508.tif 000009
【図９】
0003541508.tif 000010
【図１０】
0003541508.tif 000011
【図１１】
0003541508.tif 000012
【図１２】
0003541508.tif 000013
【図１３】
0003541508.tif 000014
【図１４】
0003541508.tif 000015
【図１５】
0003541508.tif 000016
【図１６】
0003541508.tif 000017
【図１７】
0003541508.tif 000018
【図１８】
0003541508.tif 000019
【図１９】
0003541508.tif 000020
【図２０】
0003541508.tif 000021